(57)【要約】【課題】  本発明は、カットアウトへのヒューズの着脱作業を容易に行うことができる絶縁ヤットコ用の先端工具を提供することを課題とする。【解決手段】  本発明は、接離可能に構成される一対の把持部を備える絶縁ヤットコに取り付けられ、円筒状のヒューズ筒と該ヒューズ筒の中心軸線方向に直交する方向に延出する接触刃とを備えるヒューズをカットアウトに対して着脱するために用いられる絶縁ヤットコ用の先端工具であって、それぞれが個別の前記把持部に装着され且つ前記接触刃を挟持可能に構成される一対の挟持部を備え、前記挟持部は、前記一対の把持部が接離する接離方向で隣り合う前記挟持部に向けて配置される対向面を有する。【選択図】図１
2017152136.tif 000002
【特許請求の範囲】
【請求項１】
接離可能に構成される一対の把持部を備える絶縁ヤットコに取り付けられ、円筒状のヒューズ筒と該ヒューズ筒の中心軸線方向に直交する方向に延出する接触刃とを備えるヒューズをカットアウトに対して着脱するために用いられる絶縁ヤットコ用の先端工具であって、それぞれが個別の前記把持部に装着され且つ前記接触刃を挟持可能に構成される一対の挟持部を備える絶縁ヤットコ用の先端工具。
【請求項２】
前記一対の挟持部のそれぞれは、前記一対の把持部が接離する接離方向で対向する対向面を有し、前記挟持部の対向面は、接触刃の外形に沿った形状である請求項１に記載の絶縁ヤットコ用の先端工具。
【請求項３】
前記対向面には、前記接離方向で接触刃の側面を押圧する押圧面が含まれ、少なくとも何れか一方の前記挟持部の対向面には、該押圧面に連続し且つ前記接触刃の側縁に対向する壁面が含まれる請求項２に記載の絶縁ヤットコ用の先端工具。
【請求項４】
前記壁面は、前記接離方向に直交する方向における前記接触刃の一側縁に対向する第一の壁面と、前記接離方向に直交する方向における前記接触刃の他側縁に対向する第二の壁面とを有する請求項３に記載の絶縁ヤットコ用の先端工具。
【請求項５】
前記一対の挟持部の対向面のそれぞれに前記壁面が含まれ、一方の挟持部における対向面の壁面は、前記接離方向に直交する方向における前記接触刃の一側縁に対向する第一の壁面、又は前記接離方向に直交する方向における前記接触刃の他側縁に対向する第二の壁面の何れか一方を有し、他方の挟持部における対向面の壁面は、前記第一の壁面又は前記第二の壁面の何れか他方を有する請求項３に記載の絶縁ヤットコ用の先端工具。
【発明の詳細な説明】
【技術分野】
【０００１】
本発明は、絶縁ヤットコに取り付けられる絶縁ヤットコ用の先端工具に関し、特に、カットアウトへのヒューズの着脱作業に用いられる絶縁ヤットコ用の先端工具に関する。
【背景技術】
【０００２】
従来から、間接活線工事では、それぞれが接離可能に構成される一対の把持部を備える絶縁ヤットコが用いられており、作業内容や作業対象物に応じて該絶縁ヤットコに先端工具を取り付けている。
【０００３】
例えば、円筒状のヒューズ筒と、該ヒューズ筒の径外方向に延出する接触刃とを備えるヒューズを作業対象物とする作業では、ヒューズ筒を挟持するための一対の挟持部であって、それぞれが個別の把持部に装着される一対の挟持部を備える先端工具が用いられている。
【０００４】
前記挟持部は、把持部が互いに接離する接離方向で隣り合う挟持部に向けて配置される接触面を有し、該接触面が隣り合う挟持部側とは反対側に向けて湾曲する円弧状に形成されている。そのため、前記先端工具では、各挟持部の接触面でヒューズ筒の外周面を取り囲むように挟み込んでヒューズ筒を挟持し、各挟持部で挟持しているヒューズ筒を所望する場所に移動させることができるとされている。
【先行技術文献】
【特許文献】
【０００５】
【特許文献１】特開２００７−２７６０２４号公報
【発明の概要】
【発明が解決しようとする課題】
【０００６】
ところで、前記ヒューズは、接触刃を挿入する挿入孔が形成されるカットアウト本体部と、該挿入孔を覆うためのカバー部とを備えるカットアウト（いわゆる、箱型のカットアウト）に装着されている。
【０００７】
前記カットアウトは、カバー部にヒューズ筒を収容保持するための収容凹部が形成されており、該収容凹部内にヒューズ筒を保持したカバー部で挿入孔を覆うに伴って、接触刃が挿入孔に挿入されるように構成されている。
【０００８】
しかしながら、従来の先端工具は、上述のように、挟持部でヒューズ筒を挟持するように構成されているため、ヒューズ筒を収容凹部に配置してカバー部に保持させたり、カバー部に保持されているヒューズ筒を収容凹部から取り出したりするときに挟持部がカバー部に干渉し、カットアウトへのヒューズの着脱作業が困難となることがあった。
【０００９】
そこで、本発明は、斯かる実情に鑑み、カットアウトへのヒューズの着脱作業を容易に行うことができる絶縁ヤットコ用の先端工具を提供することを課題とする。
【課題を解決するための手段】
【００１０】
本発明の絶縁ヤットコ用の先端工具は、接離可能に構成される一対の把持部を備える絶縁ヤットコに取り付けられ、円筒状のヒューズ筒と該ヒューズ筒の中心軸線方向に直交する方向に延出する接触刃とを備えるヒューズをカットアウトに対して着脱するために用いられる絶縁ヤットコ用の先端工具であって、それぞれが個別の前記把持部に装着され且つ前記接触刃を挟持可能に構成される一対の挟持部を備える。
【００１１】
上記構成の絶縁ヤットコ用の先端工具によれば、それぞれが個別の把持部に装着され且つヒューズの接触刃を挟持可能に構成される一対の挟持部を備えるため、各挟持部の間にヒューズの接触刃を介在させた状態で一対の把持部を互いに接近させると、接触刃が各挟持部の対向面によって挟持される。
【００１２】
このように、前記先端工具では、挟持部がヒューズの接触刃を挟持するように構成されるため、カットアウトへのヒューズの着脱作業時に挟持部がカットアウトに干渉することを抑えることができる。
【００１３】
本発明の絶縁ヤットコ用の先端工具において、前記一対の挟持部のそれぞれは、前記一対の把持部が接離する接離方向で対向する対向面を有し、前記挟持部の対向面は、接触刃の外形に沿った形状であってもよい。
【００１４】
上記構成によれば、前記接離方向で対向する対向面が接触刃の外形に沿った形状であるため、対向面で挟持している接触刃が意図せず動いてしまうことを抑えることができる。従って、前記先端工具は、対向面で接触刃を挟持しているヒューズの姿勢を安定させることができる。
【００１５】
本発明の絶縁ヤットコ用の先端工具において、前記対向面には、前記接離方向で接触刃の側面を押圧する押圧面が含まれ、少なくとも何れか一方の前記挟持部の対向面には、該押圧面に連続し且つ前記接触刃の側縁に対向する壁面が含まれるようにしてもよい。
【００１６】
上記構成の絶縁ヤットコ用の先端工具によれば、対向面が、前記接離方向で接触刃の側面を押圧する押圧面を有し、少なくとも何れか一方の前記挟持部が、該押圧面に連続し且つ前記接触刃の側縁に対向する壁面を有するため、前記接離方向で挟持部の対向面の押圧面で挟持している接触刃が意図せず動いてしまったとしても、該接触刃の側縁が壁面に当接することで動きが規制される。従って、前記先端工具は、接触刃を挟持しているヒューズの姿勢の変化を抑えることができる。
【００１７】
本発明の絶縁ヤットコ用の先端工具において、前記壁面は、前記接離方向に直交する方向における前記接触刃の一側縁に対向する第一の壁面と、前記接離方向に直交する方向における前記接触刃の他側縁に対向する第二の壁面とを有するようにしてもよい。
【００１８】
かかる構成によれば、前記接離方向に直交する方向における接触刃の一側縁に第一の壁面を対向させ、接触刃の他側縁に第二の壁面を対向させることができるため、挟持している接触刃が動いてしまったとしても、第一の壁面と第二の壁面とでヒューズの姿勢の変化をより小さな範囲に抑えることができる。
【００１９】
また、本発明の絶縁ヤットコ用の先端工具において、前記一対の挟持部の対向面のそれぞれに前記壁面が含まれ、一方の挟持部における対向面の壁面は、前記接離方向に直交する方向における前記接触刃の一側縁に対向する第一の壁面、又は前記接離方向に直交する方向における前記接触刃の他側縁に対向する第二の壁面の何れか一方を有し、他方の挟持部における対向面の壁面は、前記第一の壁面又は前記第二の壁面の何れか他方を有するようにしてもよい。
【００２０】
かかる構成においても、前記接離方向に直交する方向における接触刃の一側縁に第一の壁面を対向させ、接触刃の他側縁に第二の壁面を対向させることができるため、挟持している接触刃が動いてしまったとしても、第一の壁面と第二の壁面とでヒューズの姿勢の変化をより小さな範囲に抑えることができる。
【発明の効果】
【００２１】
以上のように、本発明によれば、カットアウトへのヒューズの着脱作業を容易に行うことができるという優れた効果を奏し得る。
【図面の簡単な説明】
【００２２】
【図１】図１は、本発明の一実施形態に係る絶縁ヤットコ用の先端工具における各挟持具の側面図である。
【図２】図２は、同実施形態に係る絶縁ヤットコ用の先端工具における各挟持具の正面図である。
【図３】図３は、同実施形態に係る絶縁ヤットコ用の先端工具における各挟持具の背面図である。
【図４】図４は、同実施形態に係る絶縁ヤットコ用の先端工具の外観図であって、絶縁ヤットコに取り付けた状態の外観図である。
【図５】図５は、同実施形態に係る絶縁ヤットコ用の先端工具を用いたヒューズの着脱作業の説明図である。
【図６】図６は、同実施形態に係る絶縁ヤットコ用の先端工具を用いたヒューズの着脱作業の説明図であって、カットアウトにヒューズを装着する作業の説明図である。
【発明を実施するための形態】
【００２３】
以下、本発明の一実施形態にかかる絶縁ヤットコ用の先端工具（以下、先端工具とする）について、添付図面を参照して説明する。本実施形態に係る先端工具は、カットアウトへのヒューズの着脱作業に使用されるものである。
【００２４】
先端工具の説明に先立ち、ヒューズと、カットアウトと、絶縁ヤットコとについて説明する。
【００２５】
ヒューズは、図６に示すように、円筒状のヒューズ筒６０と、該ヒューズ筒６０から該ヒューズ筒６０の径外方向に延出する一対の接触刃６１とを備えている。
【００２６】
一対の接触刃６１は、平板状に形成されており、ヒューズ筒６０の中心軸線方向において間隔をあけて並ぶように配置されている。
【００２７】
カットアウト７は、ヒューズ６の接触刃６１が挿し込まれる一対の挿込孔７００が形成されるカットアウト本体部７０と、該挿込孔７００を覆うためのカバー部７１と、カバー部７１を操作するための操作片７２とを備えている。
【００２８】
カバー部７１は、カットアウト本体部７０に対して回転可能に連結されている。さらに、カバー部７１は、カットアウト本体部７０に対する回転に伴って一対の挿込孔７００を覆う閉状態と、一対の挿込孔７００を開放する開状態とに切替可能に構成されている。
【００２９】
さらに、カバー部７１には、ヒューズ筒６０を収容保持するための収容凹部７１０が形成されている。
【００３０】
操作片７２は、カバー部７１の外面から延出しており、丸孔が貫設されている。本実施形態では、この丸孔を引掛孔７２０とする。
【００３１】
絶縁ヤットコは、図４に示すように、互いに接離可能に構成される一対の把持部８０と、一方の把持部８０に固定される支持杆８１と、他方の把持部８０に連結される操作レバー８２であって、一方の把持部８０に対して他方の把持部８０を接離させるための操作レバー８２とを備えている。
【００３２】
一対の把持部８０は、互いに回転可能に連結されている。そのため、絶縁ヤットコ８は、一対の把持部８０の連結位置を中心とする周方向において、他方の把持部８０が一方の把持部８０に対して接離するように構成されている。
【００３３】
本実施形態に係る先端工具１は、把持部８０に対して着脱可能な一対の着脱部２と、それぞれが個別の着脱部２から延出する一対のステー部３と、該ステー部３に取り付けられ且つ円筒状のヒューズ筒６０から該ヒューズ筒６０の中心軸線方向に直交する方向に延出する接触刃６１を挟持可能に構成される一対の挟持部４とを備えている。なお、本実施形態に係る先端工具１は、一方の着脱部２から延出するフック部５を備える。
【００３４】
着脱部２は、図１に示すように、把持部８０の先端部を挿入可能な挿入凹部２００が形成される被挿入部２０と、挿入凹部２００に挿入された把持部８０の抜け止めをするための抜止部２１とを有する。
【００３５】
被挿入部２０には、挿入凹部２００に連通する貫通孔２０１が形成されている。
【００３６】
抜止部２１は、被挿入部２０に連設される筒部２１０であり、内部の空間が貫通孔２０１に連通する筒部２１０と、該筒部２１０に挿通されるロックピン２１１であって、貫通孔２０１を通じて挿入凹部２００内に出退可能に構成されるロックピン２１１と、該ロックピン２１１を挿入凹部２００側に向けて付勢する付勢部材２１２とを備えている。
【００３７】
筒部２１０は、一方の開口端が被挿入部２０の外面に固定されている。そして、筒部２１０の内径は、貫通孔２０１の孔径よりも大きくなっている。
【００３８】
ロックピン２１１は、軸状のピン本体部２１１ａと、ピン本体部２１１ａの軸方向における一端部に形成され且つピン本体部２１１ａよりも外形が大きくなっている頭部２１１ｂとを備えている。
【００３９】
ピン本体部２１１ａは、軸方向における他端部から筒部２１０内に挿通されている。本実施形態に係るロックピン２１１は、ピン本体部２１１ａの他端部が挿入凹部２００内に出退可能に構成されている。
【００４０】
また、ピン本体部２１１ａは、外径が筒部２１０の内径よりも小さくなるように形成されている。そのため、ピン本体部２１１ａの外面と、筒部２１０の内面との間には隙間が形成されている。
【００４１】
頭部２１１ｂの外形は、筒部２１０の内径よりも大きくなっている。
【００４２】
付勢部材２１２は、筒部２１０内に配置されている。より具体的に説明すると、筒部２１０の内面とピン本体部２１１ａの外面との間の隙間に配置されている。
【００４３】
ステー部３は、一対の把持部８０が接離する接離方向に直交する方向において着脱部２から延出している。また、ステー部３は、平板状に形成されており、隣り合うステー部３に対向するように配置される固定面３０を有する。固定面３０は、挟持部４の外形と同一又は略同一の大きさとなるように形成されている。
【００４４】
また、各固定面３０は、各挟持部４を最も接近させた状態（各挟持部４で接触刃６１を挟み込んだ状態）で互いに平行な姿勢となるように着脱部２から延出している。
【００４５】
挟持部４は、図１及び図２に示すように、前記接離方向で隣り合う挟持部４に向けて配置される対向面４０と、該対向面４０とは反対側に位置し且つステー部３に取り付けられる取付面４１とを有する（図１参照）。
【００４６】
各挟持部４の対向面４０は、接触刃６１の外形に沿った形状となるように形成されている。本実施形態では、対向面４０に接触刃６１を配置する配置用凹部４２が形成されており、対向面４０における該配置用凹部４２を画定する部分が、接触刃６１の一側面又は他側面と、前記接離方向に直交する方向における接触刃６１の両側縁とに沿った形状に形成されている。
【００４７】
各挟持部４についてより具体的に説明する。本実施形態に係る挟持部４は、前記接離方向で接触刃６１の側面を押圧する押圧部４３と、挟持部４の高さ方向（前記接離方向に直交する一方向）における押圧部４３の両端に連設された一対の壁部４４，４５とを有する。
【００４８】
押圧部４３は、前記接離方向で隣り合う押圧部４３に向けて配置される押圧面４３０を有する。押圧面４３０は、前記接離方向及び前記高さ方向のそれぞれに直交する奥行方向における長さが接触刃６１の長さ（ヒューズ筒６０からの延出量）よりも大きくなるように形成されている。また、押圧面４３０は、前記高さ方向における長さが接触刃６１の幅よりも大きくなるように形成されている。
【００４９】
一方の挟持部４における押圧部４３の押圧面４３０は、接触刃６１の一側面に当接し、他方の挟持部４における押圧部４３の押圧面４３０は、接触刃６１の他側面に当接する。さらに、本実施形態に係る先端工具１は、挟持部４同士を最も接近させた状態における各押圧面４３０同士の間隔が接触刃６１の厚みよりも小さくなるように構成されている。
【００５０】
一方の壁部４４（以下、第一の壁部４４とする）は、前記接離方向における厚みが押圧部４３の厚みよりも大きくなるように形成されている。また、第一の壁部４４は、前記奥行方向における長さが押圧部４３の長さと同一となるように形成されている。
【００５１】
さらに、第一の壁部４４は、前記高さ方向における押圧面４３０の一端に連続する壁面（以下、第一の壁面とする）４４０と、該第一の壁面４４０に連続し、前記接離方向において隣り合う第一の壁部４４に向けて配置される合わせ面（以下、第一の合わせ面とする）４４１とを有する。
【００５２】
第一の壁面４４０は、押圧面４３０に直交するように形成されている。第一の壁面４４０は、前記奥行方向における長さが押圧面４３０の長さと同一である。第一の壁面４４０は、押圧面４３０に挟み込まれた接触刃６１の一側縁（前記高さ方向における一側縁）に対向させる面である。
【００５３】
他方の壁部４５（以下、第二の壁部４５とする）は、前記接離方向における厚みが押圧部４３の厚みよりも大きくなるように形成されている。また、第二の壁部４５は、前記奥行方向における長さが押圧部４３の長さと同一となるように形成されている。
【００５４】
さらに、第二の壁部４５は、前記高さ方向における押圧面４３０の他端に連続する壁面（以下、第二の壁面とする）４５０と、該第二の壁面４５０に連続し、前記接離方向において隣り合う第二の壁部４５に向けて配置される合わせ面（以下、第二の合わせ面とする）４５１とを有する。
【００５５】
第二の壁面４５０は、押圧面４３０に直交するように形成されている。第二の壁面４５０は、前記奥行方向における長さが押圧面４３０の長さと同一である。第二の壁面４５０は、押圧面４３０に挟み込まれた接触刃６１の他側縁（前記高さ方向における他側縁）に対向させる面である。
【００５６】
第二の壁面４５０は、前記高さ方向において、第一の壁面４４０と対向する。また、上述のように、押圧面４３０の高さ方向における長さは接触刃６１の幅よりも大きいため、第二の壁面４５０と第一の壁面４４０との間隔は、接触刃６１の幅よりも大きくなっている。
【００５７】
なお、本実施形態において、対向面４０には、押圧部４３の押圧面４３０と、第一の壁部４４の第一の壁面４４０及び第一の合わせ面４４１と、第二の壁部４５の第二の壁面４５０及び第二の合わせ面４５１とが含まれている。また、配置用凹部４２は、押圧部４３の押圧面４３０と、第一の壁部４４の第一の壁面４４０と、第二の壁部４５の第二の壁面４５０とによって画定されている。
【００５８】
フック部５は、棒状に形成されている。また、フック部５は、前記奥行方向において挟持部４から外れた位置（挟持部４と対応しない位置）に配置されている。
【００５９】
本実施形態に係る先端工具１は、以上の通りの構成である。次に、本実施形態に係る先端工具１の使用方法を、図面を参照して説明する。
【００６０】
先端工具１を使用する場合、図４及び図５に示すように、絶縁ヤットコ８の把持部８０を着脱部２の挿入凹部２００に挿入し、抜止部２１で該把持部８０の抜け止めをする。
【００６１】
ヒューズ６をカットアウト７に装着するにあたり、カットアウト７のカバー部７１を開状態にする。本実施形態では、操作片７２の引掛孔７２０にフック部５を挿し込み、該操作片７２を引き下げてカバー部７１を開状態にする。
【００６２】
そして、各挟持部４の押圧面４３０の間に接触刃６１を配置した後に操作レバー８２を操作して把持部８０同士を接近させることによって、接触刃６１の両側面を押圧面４３０で挟み込む。上述のように、各挟持部４の押圧面４３０の間隔は、接触刃６１の厚みよりも僅かに小さくなっているため、各押圧面４３０は、接触刃６１の両側面を挟み込むに伴って、接触刃６１の外形に沿って僅かに弾性変形する。さらに、押圧面４３０で接触刃６１の両側面を挟み込んでいる状態において、第一の壁面４４０と接触刃６１の一側縁との間、第二の壁面４５０と接触刃６１の他側縁との間には、それぞれ隙間が形成されている。このようにして、ヒューズ６が先端工具１によって挟持される。
【００６３】
さらに、絶縁ヤットコ８を動かして、ヒューズ筒６０をカバー部７１の収容凹部７１０内に配置する。この状態で、操作レバー８２を操作して把持部８０同士を離間させることで、押圧面４３０による接触刃６１の両側面に対する挟み込みを解除する。これにより、先端工具１によるヒューズ６（接触刃６１）に対する挟持が解除される。
【００６４】
そして、操作片７２の引掛孔７２０にフック部５を挿し込み、該操作片７２を押し上げてカバー部７１を閉状態にする。これに伴い、ヒューズ６の接触刃６１がそれぞれ挿入凹部２００に挿入されることでカットアウト７へのヒューズ６の装着作業が完了する。
【００６５】
ヒューズ６をカットアウト７から取り外す場合、操作片７２の引掛孔７２０にフック部５を挿し込み、該操作片７２を引き下げて再びカバー部７１を開状態にする。
【００６６】
そして、絶縁ヤットコ８を動かして、収容凹部７１０に収容されているヒューズ６の接触刃６１の両側面に押圧面４３０を対向させる。この状態で、操作レバー８２を操作して把持部８０同士を接近させて接触刃６１の両側面を押圧面４３０で挟み込むと、ヒューズ６が先端工具１によって挟持される。なお、各挟持部４は弾性を有するが、上述のように、剛性を有するステー部３に取り付けられているため、該挟持部４から接触刃６１に対して十分な挟持力が伝わる。
【００６７】
絶縁ヤットコ８をさらに動かしてヒューズ筒６０を収用凹部から引き抜ことで、カットアウト７からヒューズ６が取り外され、カットアウト７からのヒューズ６の取り外し作業が完了する。
【００６８】
以上のように、本実施形態に係る先端工具１によれば、ヒューズ６の接触刃６１を対向面４０で挟持するように構成されるため、カットアウト７へのヒューズ６の着脱作業時に、挟持部４がカットアウト７に干渉することを抑えることができる。従って、先端工具１は、カットアウト７へのヒューズ６の着脱作業を容易に行うことができるという優れた効果を奏し得る。
【００６９】
また、挟持部４の対向面４０が接触刃６１の外形に沿った形状であるため、対向面４０で挟持している接触刃６１が動いてしまうことを抑えることができる。従って、前記先端工具１は、対向面４０で接触刃６１を挟持しているヒューズ６の姿勢を安定させることができる。
【００７０】
より具体的に説明すると、各挟持部４が、接触刃６１の一側縁に対向する第一の壁部４４と、各挟持部４が接触刃６１の他側縁に対向する第二の壁部４５とを有するため、前記接離方向で押圧面４３０に挟み込まれている接触刃６１が動いてしまったとしても、該接触刃６１が第一の壁部４４（第一の壁面４４０）又は第二の壁部４５（第二の壁面４５０）に当接して動きが規制される。従って、先端工具１は、接触刃６１を挟持しているヒューズ６の姿勢が変化する範囲を抑えることができる。
【００７１】
また、各挟持部４を最も接近させた状態における各挟持部４の押圧面４３０同士の間隔が接触刃６１の厚みよりも僅かに小さくなっているため、各押圧面４３０は、接触刃６１の両側面を挟み込むに伴って、接触刃６１の外形に沿って僅かに弾性変形する。これにより、押圧面４３０と接触刃６１の側面との密着性が高められる。従って、本実施形態に係る先端工具１は、挟持部４で挟持しているヒューズ６の姿勢をさらに安定させることができる。
【００７２】
さらに、第一の壁面４４０と、第二の壁面４５０との間隔（押圧面４３０の前記高さ方向における長さ）は、接触刃６１の幅よりも大きくなっているため、押圧面４３０で接触刃６１を挟み込んだり、押圧面４３０による接触刃６１への挟み込みを解除したりする際に第一の壁面４４０と第二の壁面４５０とが接触刃６１に干渉することが防止される。従って、本実施形態に係る先端工具１では、作業者の意図するタイミングで接触刃６１の挟持、及び接触刃６１への挟持の解除を行い易くなる。
【００７３】
なお、本発明の先端工具は、上記一実施形態に限定されるものではなく、本発明の要旨を逸脱しない範囲において種々変更を行うことは勿論である。
【００７４】
上記実施形態において、挟持部４の取付面４１は、ステー部３に取り付けられていたが、この構成に限定されない。例えば、挟持部４の取付面４１は、着脱部２に直接的に取り付けられてもよい。すなわち、挟持部４は、着脱部２に直接的に又は間接的に取り付けられていればよい。
【００７５】
上記実施形態において、配置用凹部４２は、各挟持部４のそれぞれの対向面４０に形成されていたが、この構成に限定されない。例えば、配置用凹部４２は、一対の挟持部４のうちの何れか一方の挟持部４の対向面４０に形成されていてもよい。すなわち、配置用凹部４２は、一対の挟持部４のうちの少なくとも何れか一方に形成されていればよい構成である。
【００７６】
上記実施形態において、各挟持部４において、対向面４０は、接触刃６１の一側面又は他側面と、前記接離方向に直交する方向における接触刃６１の両側縁とに沿った形状であったが、この構成に限定されない。例えば、各挟持部４において、対向面４０は、全体が平らな面で構成されていてもよい。
【００７７】
また、各挟持部４において、対向面４０は、接触刃６１の一側面又は他側面と、前記接離方向に直交する方向における接触刃６１の両側縁のうちの何れか一方の側縁に沿った形状であってもよい。すなわち、対向面４０の接触刃の外形に沿った形状とは、一側面又は他側面と、該一側面又は他側面の一方に連続する角部を覆うことができる形状である。
【００７８】
上記実施形態において、各挟持部４が押圧部４３よりも厚みが大きい壁部を有していたが、この構成に限定されない。例えば、一対の挟持部４のうちの何れか一方の挟持部４のみが壁部を有していてもよい。なお、この場合、前記接離方向に直交する方向における接触刃６１の両側縁に壁面が対向するように構成されていることが好ましい。より具体的に説明すると、一対の挟持部４のうちの何れか一方の挟持部４のみが有する一対の壁部４４，４５は、前記高さ方向における押圧部４３の両端に連設された一対の壁部４４，４５を有することが好ましい。
【００７９】
上記実施形態において、押圧部４３には、前記高さ方向における一端に第一の壁部４４が連設され、前記高さ方向における他端に第二の壁部４５が連設されていたが、この構成に限定されない。例えば、押圧部４３には、前記高さ方向における一端又は他端のみに壁部が連設されていてもよい。なお、この場合においても、前記接離方向に直交する方向における接触刃６１の両側縁に壁面が対向するように構成されていることが好ましい。より具体的に説明すると、例えば、一対の挟持部４のうちの何れか一方の挟持部４が有する壁部が、前記高さ方向における押圧部４３の両端のうちの一端に連設された壁部を有し、一対の挟持部４のうちの何れか他方の挟持部４が有する壁部が、前記高さ方向における押圧部４３の両端のうちの他端に連設された壁部を有することが好ましい。
【００８０】
上記実施形態では、第一の壁部４４の前記接離方向での厚みと、第二の壁部４５の前記接離方向での厚みとが同一となっていたが、この構成に限定されない。第一の壁部４４の前記接離方向での厚みと、第二の壁部４５の前記接離方向での厚みとは各押圧面４３０を接触刃６１の一側面又は他側面に対して平行な姿勢で当接させることができれば、それぞれの厚みが異なっていてもよい。なお、絶縁ヤットコ８では、上述のように、一対の把持部８０が互いの連結位置を中心とする周方向で接離する（すなわち、連結位置を中心とする円弧状の軌道に沿って動く）ため、該周方向における第一の壁部４４同士の間隔よりも第二の壁部４５同士の間隔が小さくなる傾向にあり、第一の壁部４４よりも先に第二の壁部４５同士が当接してしまうことがある。そのため、第二の壁部４５の厚みを第一の壁部４４の厚みよりも小さくすれば、挟持部４同士を最も接近させたときに第二の壁部４５のみが当接してしまうことを避けることができ、より確実に押圧面４３０を接触刃６１の一側面又は他側面に対して平行な姿勢で当接させることができるようになる。
【符号の説明】
【００８１】
１…先端工具、２…着脱部、３…ステー部、４…挟持部、４…挟持部、５…フック部、６…ヒューズ、７…カットアウト、８…絶縁ヤットコ、１１…先端工具、２０…被挿入部、２１…ロック部、４０…対向面、４１…取付面、４２…配置用凹部、４３…押圧部、４４…第一の壁部、４５…第二の壁部、６０…ヒューズ筒、６１…接触刃、７０…カットアウト本体部、７１…カバー部、７２…操作片、８０…把持部、８１…支持杆、８２…操作レバー、２００…挿入凹部、２０１…貫通孔、２１０…筒部、２１１…ロックピン、２１１ａ…ピン本体部、２１１ｂ…頭部、２１２…付勢部材、４３０…押圧面、４４０…第一の壁面、４４１…第一の合わせ面、４５０…第二の壁面、４５１…第二の合わせ面、７００…挿込孔、７１０…収容凹部、７２０…引掛孔
【図１】
2017152136.tif 000003
【図２】
2017152136.tif 000004
【図３】
2017152136.tif 000005
【図４】
2017152136.tif 000006
【図５】
2017152136.tif 000007
【図６】
2017152136.tif 000008